(57)【要約】【課題】車両用シートにおいて、通気性及びクッション性を維持しつつ、静電気の発生を抑え、抗菌性・消臭効果に優れた車両用シートを提供する。【解決手段】シートの骨格となるシートフレームと、前記シートフレーム上に設けられ、シートの座面部となるシートクッションと、前記シートクッションの背側に設けられ、シートの背もたれ部となるシートバックと、前記シートバックの上部に設けられ、乗員の頭部および頸部を保護するヘッドレストと、を有する車両用シートであって、前記シートクッションおよび前記シートバックのうち、少なくとも一方において、そのクッション材が銀を含む繊維を用いて形成され、かつ、前記クッション材と前記シートフレームが電気的に接続されていることを特徴とする。【選択図】図５
2016002829.tif 000002
【特許請求の範囲】
【請求項１】
シートの骨格となるシートフレームと、
前記シートフレーム上に設けられ、シートの座面部となるシートクッションと、
前記シートクッションの背側に設けられ、シートの背もたれ部となるシートバックと、
前記シートバックの上部に設けられ、乗員の頭部および頸部を保護するヘッドレストと、を有する車両用シートであって、
前記シートクッションおよび前記シートバックのうち、少なくとも一方において、そのクッション材が銀を含む繊維を用いて形成され、かつ、前記クッション材と前記シートフレームが電気的に接続されていることを特徴とする車両用シート。
【請求項２】
前記クッション材は、クッション材の基盤となるウレタンパッドと、
前記ウレタンパッド上に設けられ、シートクッションの中綿となるワディングと、を含み、
前記ワディングは、銀を含む繊維を用いて形成され、かつ、前記ワディングと前記シートフレームが電気的に接続されていることを特徴とする請求項１に記載の車両用シート。
【請求項３】
前記クッション材は、クッション材の基盤となるウレタンパッドと、
前記ウレタンパッド上に設けられ、シートクッションの中綿となるワディングと、を含み、
前記ウレタンパッドは、その一部に上面から下面にかけて貫通する開孔を有し、
前記開孔内に銀を含む繊維が充填され、かつ、開孔内に充填された前記繊維と前記シートフレームが電気的に接続されていることを特徴とする請求項１または２に記載の車両用シート。
【請求項４】
前記シートクッションおよび前記シートバックのうち、少なくとも一方において、その表皮が銀を含む表皮材を用いて形成されていることを特徴とする請求項１から３のいずれかに記載の車両用シート。
【請求項５】
前記クッション材に含まれる銀の含有量は、前記クッション材全体の重量の１％以上５％以下であることを特徴とする請求項１から４のいずれかに記載の車両用シート。
【請求項６】
前記ワディングに含まれる銀の含有量は、前記ワディング全体の重量の１％以上５％以下であることを特徴とする請求項２から４のいずれかに記載の車両用シート。
【請求項７】
前記開孔内に充填される繊維に含まれる銀の含有量は、前記繊維全体の重量の１％以上５％以下であることを特徴とする請求項３または４に記載の車両用シート。
【請求項８】
前記表皮材に含まれる銀の含有量は、前記表皮材全体の重量の１％以上５％以下であることを特徴とする請求項４に記載の車両用シート。
【請求項９】
シートの骨格となるシートフレームと、
前記シートフレーム上に設けられ、シートの座面部となるシートクッションと、
前記シートクッションの背側に設けられ、シートの背もたれ部となるシートバックと、
前記シートバックの上部に設けられ、乗員の頭部および頸部を保護するヘッドレストと、を有する車両用シートであって、
前記シートクッションおよび前記シートバックのうち、少なくとも一方において、その表皮が銀を含む表皮材を用いて形成され、かつ、前記表皮と前記シートフレームが電気的に接続されていることを特徴とする車両用シート。
【請求項１０】
前記シートクッションおよび前記シートバックのうち、少なくとも一方において、そのクッション材が銀を含む繊維を用いて形成されていることを特徴とする請求項９に記載の車両用シート。
【請求項１１】
前記表皮材に含まれる銀の含有量は、前記表皮材全体の重量の１％以上５％以下であることを特徴とする請求項９または１０に記載の車両用シート。
【請求項１２】
銀を含む繊維を用いて形成される前記クッション材の銀の含有量は、前記クッション材全体の重量の１％以上５％以下であることを特徴とする請求項１０に記載の車両用シート。
【請求項１３】
シートの骨格となるシートフレームと、
前記シートフレーム上に設けられ、シートの座面部となるシートクッションと、
前記シートクッションの背側に設けられ、シートの背もたれ部となるシートバックと、
前記シートバックの上部に設けられ、乗員の頭部および頸部を保護するヘッドレストと、を有する車両用シートであって、
前記シートクッションおよび前記シートバックのうち、少なくとも一方が銀を含む繊維を用いて形成され、かつ、前記繊維と前記シートフレームが電気的に接続されていることを特徴とする車両用シート。
【請求項１４】
前記繊維に含まれる銀の含有量は、繊維全体の重量の１％以上５％以下であることを特徴とする請求項１３に記載の車両用シート。
【発明の詳細な説明】
【技術分野】
【０００１】
本発明は、自動車等の車両に搭載される車両用シートに関する。
【背景技術】
【０００２】
自動車用シートなどの車両用シートは、一般的に、シートの骨格となるシートフレーム上に座面部分となるシートクッションが設けられ、シートクッションの背側にリクライニングアジャスタを介して背もたれ部分となるシートバックが据え付けられ、さらにそのシートバックの上部には乗員の頭部および頸部を保護するヘッドレストが取り付けられた構造となっている。
【０００３】
これらのシートクッションやシートバックは、着座時に乗員が直接触れるため、乗員の被服との間の摩擦による静電気や乗員の汗や車内の湿気などによる菌の繁殖など、乗員の快適性を向上するうえで解決すべき課題を有している。
【０００４】
したがって、自動車用シートなどの車両用シートにおいては、振動吸収性やクッション性などの座り心地に加え、静電気対策や抗菌性、消臭効果といった乗員の快適性を向上するための取り組みがなされている。
【０００５】
自動車用シートの静電気対策に関する背景技術としては、例えば、特許文献１のような技術がある。特許文献１には、「椅子或は車輛の座席等の座体又は寝台等の表面又は内部に導電体で形成された鎖或は導線又は網若しくは薄板、盤体等により構成した静電気誘導体を設けた静電気誘導放出装置」が開示されている。
【０００６】
特許文献１の静電気誘導放出装置によれば、自動車の運転者又はＯＡ機器その他静電気を発生する機材等の操作者の体内に蓄積される静電気を運転者又は操作者が座って運転又は操作するのみで効率良く外部に静電気を放出し、静電気障害の発生を防止することができる。
【０００７】
また、特許文献２には、「繊維フィラメントからなるワディング材の表面に表皮材を接着一体化した自動車内装用表面材において、前記ワディング材に自己放電により静電気中和機能を発揮する除電繊維を混入させた自動車内装用表面材」が開示されている。
【０００８】
特許文献２の自動車内装用表面材によれば、導電糸および導電性物質を用いることなくワディング材に除電繊維を混入するのみで十分な帯電防止機能を発揮することができ、また表皮材の色や柄の選択自由度を拡げることができるとともにワディング材が硬くなることがなく優れたクッション性を確保することができ、更にはアースを必要とせず簡単な構造であり、また表面材としての構造も極めて簡単で生産コストも大幅に低減することができる。
【０００９】
一方、自動車用シートの抗菌性、消臭効果に関する背景技術としては、例えば、特許文献３のような技術がある。特許文献３には、「光触媒粒子表面をフッ素系多孔質層で被覆した抗菌性防臭粒子を繊維表面に付着させた抗菌性防臭繊維」が開示されている。
【００１０】
特許文献３の抗菌性防臭繊維によれば、水（若しくは水蒸気）の存在下、不存在下に拘わらず、銅及びアルミニウムの組み合わせによる抗菌性能を遥かに凌ぐ優れた抗菌性防臭性能が、常に発揮される。
【先行技術文献】
【特許文献】
【００１１】
【特許文献１】特開平５−１６８５４７号公報
【特許文献２】特開平９−３９１３１号公報
【特許文献３】特開２０００−８２７３号公報
【発明の概要】
【発明が解決しようとする課題】
【００１２】
上記のように、自動車用シートなどの車両用シートにおいては、振動吸収性やクッション性などの座り心地に加え、静電気対策や抗菌性、消臭効果といった乗員の快適性を向上するシートづくりが重要な課題となっている。
【００１３】
従来の自動車用シートにおいては、シートのクッション材として一般的に使用されているウレタンパッドは、主原料であるイソシアネート溶液およびポリオール溶液等を混合させながら型に流し込み、混合溶液の化学反応により発泡させることにより形成される。この発泡したウレタンフォームは導電性が低く（電気抵抗値：１０６Ω・ｍ以上）、摩擦により容易に静電気が溜まる、いわゆる帯電体である。
【００１４】
そのため、シートクッションやシートバックと乗員の被服との間の摩擦により静電気が発生し、ウレタンパッドに静電気が蓄積され、乗員及び乗員の被服にも同様に静電気が溜まる。帯電状態のまま車を降りようとする際に、ドアの金属部分や物に触った瞬間に乗員の体に溜まった静電気が放電され不快に感じてしまう。
【００１５】
また、ウレタンは通気性が悪く蒸れ易いため、シートの表面に菌が繁殖し不衛生な状態となり易く、臭いも付き易い。
【００１６】
特許文献１の静電気誘導放出装置では、シートの表面又は内部に導電体で形成された鎖或は導線又は網若しくは薄板、盤体等の静電気誘導体を設けているため、シートへの静電気の蓄積は緩和されるものの、シートのクッション性が損なわれてしまう。
【００１７】
また、特許文献２の自動車内装用表面材は、ワディング材に除電繊維を混入することで帯電防止を行うため、シートのクッション性は確保されるが、アースに接続せずにワディングに混入した除電繊維のみで除電を行うため、ワディング材に混入した除電繊維の除電能力を超えた静電気に対する除電は不十分である。
【００１８】
また、特許文献３の抗菌性防臭繊維では、抗菌性、消臭効果は得られるものの、放電シートによる静電気対策は限界があり、乗員の快適性を向上するには不十分である。
【００１９】
そこで、本発明の目的は、車両用シートにおいて、通気性及びクッション性を維持しつつ、静電気の発生を抑え、抗菌性・消臭効果に優れた車両用シートを提供することにある。
【課題を解決するための手段】
【００２０】
本発明は、シートの骨格となるシートフレームと、前記シートフレーム上に設けられ、シートの座面部となるシートクッションと、前記シートクッションの背側に設けられ、シートの背もたれ部となるシートバックと、前記シートバックの上部に設けられ、乗員の頭部および頸部を保護するヘッドレストと、を有する車両用シートであって、前記シートクッションおよび前記シートバックのうち、少なくとも一方において、そのクッション材が銀を含む繊維を用いて形成され、かつ、前記クッション材と前記シートフレームが電気的に接続されていることを特徴とする。
【００２１】
また、本発明は、シートの骨格となるシートフレームと、前記シートフレーム上に設けられ、シートの座面部となるシートクッションと、前記シートクッションの背側に設けられ、シートの背もたれ部となるシートバックと、前記シートバックの上部に設けられ、乗員の頭部および頸部を保護するヘッドレストと、を有する車両用シートであって、前記シートクッションおよび前記シートバックのうち、少なくとも一方において、その表皮が銀を含む表皮材を用いて形成され、かつ、前記表皮と前記シートフレームが電気的に接続されていることを特徴とする。
【００２２】
また、本発明は、シートの骨格となるシートフレームと、前記シートフレーム上に設けられ、シートの座面部となるシートクッションと、前記シートクッションの背側に設けられ、シートの背もたれ部となるシートバックと、前記シートバックの上部に設けられ、乗員の頭部および頸部を保護するヘッドレストと、を有する車両用シートであって、前記シートクッションおよび前記シートバックのうち、少なくとも一方が銀を含む繊維を用いて形成され、かつ、前記繊維と前記シートフレームが電気的に接続されていることを特徴とする。
【発明の効果】
【００２３】
本発明によれば、車両用シートにおいて、通気性及びクッション性を維持しつつ、静電気の発生を抑え、抗菌性・消臭効果に優れた車両用シートを実現することができる。
【００２４】
上記した以外の課題、構成及び効果は、以下の実施形態の説明により明らかにされる。
【図面の簡単な説明】
【００２５】
【図１】本発明の一実施形態に係る車両用シートの全体概要を示す図である。
【図２】本発明の一実施形態に係る車両用シートの一部断面を示す図である。
【図３】本発明の一実施形態に係る車両用シートの一部断面を示す図である。
【図４】本発明の一実施形態に係る車両用シートの一部断面を示す図である。
【図５】本発明の一実施形態に係る車両用シートの斜視図及び一部断面を示す図である。
【図６】本発明の一実施形態に係る車両用シートの一部断面を示す図である。
【図７】本発明の一実施形態に係る車両用シートの一部断面を示す図である。
【図８】本発明の一実施形態に係る車両用シートの全体概要を示す図である。
【図９】本発明の一実施形態に係る車両用シートの一部断面を示す図である。
【図１０】本発明の一実施形態に係る車両用シートの一部断面を示す図である。
【図１１】本発明の一実施形態に係る車両用シートの一部断面を示す図である。
【図１２】本発明の一実施形態に係る車両用シートの一部断面を示す図である。
【図１３】従来の車両用シートの全体概要を示す図である。
【図１４】従来の車両用シートの一部断面を示す図である。
【図１５】一般的な車両用シートの全体概要を示す図である。
【発明を実施するための形態】
【００２６】
以下、図面を用いて本発明の実施例を説明する。
【実施例１】
【００２７】
先ず、図１５を用いて、自動車等に用いられる一般的な車両用シートについて説明する。図１５は一般的な車両用シートの全体概要を示している。車両用シート１は、その主な部位として、シートの座面部分となるシートクッション２、シートの背もたれ部分となるシートバック３、乗員の頭部および頸部を保護するヘッドレスト４を有している。シートクッション２の両脇には、座面部のサイド部分のサポートとなるサイドサポート５が設けられている。
【００２８】
図１５に図示していないが、シートクッション２およびシートバック３の内部（下部）にはシートの骨格となるシートフレームを有しており、シートフレームは車体に固定されている。つまり、車両用シート１は、シートの骨格となるシートフレーム上に座面部分となるシートクッション２が設けられ、シートクッション２の背側にはリクライニングアジャスタを介して背もたれ部分となるシートバック３が据え付けられ、さらにそのシートバック３の上部には乗員の頭部および頸部を保護するヘッドレスト４が取り付けられる構造となっている。
【００２９】
図１３および図１４を用いて、本発明の課題をより詳しく説明する。図１３は従来の車両用シートの全体概要を示し、図１４は従来の車両用シートのシートクッション２の断面を示している。
【００３０】
図１３に示すように、車両用シートはその主要な構成部品として、シートの座面部分となるシートクッション２およびシートの背もたれ部分となるシートバック３から構成されている。図１３は、表皮およびワディングからなるトリムカバー（シートカバー）を取り除いた状態を示しており、その素材はウレタン発泡体である。
【００３１】
このウレタン発泡体は、上記のように、主原料であるイソシアネート溶液およびポリオール溶液等を混合させながら型に流し込み、混合溶液の化学反応により発泡させることにより形成される。この発泡したウレタンフォームは導電性が低く（電気抵抗値：１０６Ω・ｍ以上）、摩擦により容易に静電気が溜まり易い、いわゆる帯電体である。
【００３２】
従来の車両用シートのシートクッションは、図１４に示すように、シートフレーム９上にクッション材の基盤となるウレタンパッド８が設けられ、さらに表皮材６およびワディング７からなるトリムカバーにより覆われている。ワディング７は、ウレタンパッド８と同様にウレタンを素材として形成されており、シートの中綿としての機能も果たしている。ウレタンパッド８およびトリムカバーとして使われるワディング７は、上述の通り、ウレタンフォームを素材として形成されているため、帯電体となり静電気などの電荷が容易に蓄積してしまう。
【００３３】
また、トリムカバーの一部である表皮材６は、一般的に合成皮革やポリエチレンテレフタレート（ＰＥＴ）等の合成繊維などを素材として形成さており、やはり導電性が低く、帯電体であり、ワディング７やウレタンパッド８と同様に、静電気が蓄積し易い。このように、従来の車両用シートでは、表皮材６、ワディング７、ウレタンパッド８のいずれも帯電体であり、それぞれの表面および内部に静電気が蓄積し易い。そのため、乗員の被服１０とシートクッションとの間に摩擦が生じた際に、乗員の被服１０すなわち乗員自体も帯電してしまい、例えば、降車する際にドアに触れた瞬間に放電し、電気ショックにより不快に感じる。
【００３４】
また、ワディング７、ウレタンパッド８の素材であるウレタンは通気性が悪く蒸れ易いため、菌が繁殖し易く、不衛生で臭いも付き易い。
【００３５】
次に、図１乃至図４を用いて本発明の実施例１における車両用シートについて説明する。図１は、実施例１における車両用シートの全体概要を示している。本実施例における車両用シートの主要な構成は、図１３に示す従来の車両用シートと同様に、シートクッション２およびシートバック３から構成されている。
【００３６】
図２に、本実施例における車両用シートのシートクッション２およびシートバック３の一部断面を示す。シートフレーム９上にウレタンパッド８が設けられ、さらにその上を表皮材６およびワディングからなるトリムカバーにより覆われた形で形成されている。その点においては、図１４に示す従来の車両用シートの断面と同じ構成となっている。しかし、本実施例における車両用シートは、図２に示すように、ワディング１１に銀（Ａｇ）を添加した繊維体を用いている点において、従来の車両用シートとは異なる。つまり、本実施例の車両用シートでは、トリムカバーのワディングに銀（Ａｇ）添加ワディング１１を用いている。
【００３７】
図３および図４を用いて、本実施例における車両用シートの作用効果について説明する。図３に示すように、シートクッション２と乗員の被服１０との摩擦により発生した静電気は、銀（Ａｇ）添加ワディング１１を介して、銀（Ａｇ）添加ワディング１１と電気的に接続しているシートフレーム９に流れて（逃げて）行く。シートフレーム９は、自動車等の車体１２に固定されており、フレームグラウンドとしてシートクッション２に発生した静電気を受容する機能を果たしている。つまり、銀（Ａｇ）添加ワディング１１はシートフレーム９に接するように取り付けられているため、銀（Ａｇ）添加ワディング１１およびシートフレーム９はアースとして機能している。
【００３８】
ここで、本実施例における表皮材６は、材質にポリエチレンテレフタレート（ＰＥＴ）を用いて形成されており、その厚みは１ｍｍ〜１．５ｍｍ程度である。また、銀（Ａｇ）添加ワディング１１は、その材質として、例えば、ポリプロピレン（ＰＰ）およびポリエチレンテレフタレート（ＰＥＴ）を素材とした繊維で形成されており、銀（Ａｇ）の含有量はワディング全体の重量の１％〜５％程度が好適である。また、クッション性を確保するため、その厚みは３ｍｍ〜１０ｍｍ程度としている。ウレタンパッド８は、ウレタンフォームを素材として形成されており、その厚みはやはりクッション性を確保するため、５５ｍｍ〜１００ｍｍ程度としている。
【００３９】
また、繊維材は芯鞘構造繊維を使用し、繊維に電気伝導性に優れた銀（Ａｇ／電気抵抗値：１０−８Ω・ｍ以下）を添加することで繊維材の導電性を確保している。
【００４０】
本実施例では、シートフレーム９をフレームグランドとして説明したが、シートフレーム９が直接接地していても良く、また、シートフレーム９が固定される車体１２が接地されていても同様の効果を得ることができる。
【００４１】
また、図２のように、表皮材６或いはウレタンパッド８もシートフレーム９と接触するように、すなわち表皮材６或いはウレタンパッド８がシートフレーム９と電気的に接続するように設けても良い。
【００４２】
本実施例の車両用シートによれば、乗員すなわち乗員の被服１０とシートクッションとの間で発生した静電気を、乗員（乗員の被服）から、トリムカバーすなわち表皮材６および銀（Ａｇ）添加ワディング１１、シートフレーム９を介して車体１２へ逃がすことができる。また、銀（Ａｇ）添加ワディング１１に含まれる銀（Ａｇ）は抗菌性、消臭効果を有しており、シートクッションにおける菌の増殖を抑えることができる。
【００４３】
さらに、銀（Ａｇ）添加ワディング１１は、銀（Ａｇ）添加繊維により形成されているため、従来のウレタンを素材とするワディングに比べて、通気性の点においても優れている。従って、通気性及びクッション性を損なうことなく、静電気の発生を抑え、抗菌性・消臭効果に優れた車両用シートを実現することが可能となる。
【００４４】
なお、本実施例においては、銀（Ａｇ）添加ワディング１１をシートクッション２に用いた例を主に説明したが、シートバック３に銀（Ａｇ）添加ワディング１１を用いることにより、シートバック３においても同様に静電気の発生を抑え、抗菌性・消臭効果を得ることができる。
【実施例２】
【００４５】
図５乃至図７を用いて、本発明の実施例２における車両用シートについて説明する。図５は、その構造が分かり易いように、トリムカバーすなわち表皮材６およびワディング７を取り除いたシートクッション２の斜視図および一部断面を示している。本実施例におけるシートクッション２は、図５に示すように、ウレタンパッド８の一部に、ウレタンパッド８の上面から下面にかけて貫通する開孔が設けられており、その開孔内部に銀（Ａｇ）添加繊維１３が充填されている。つまり、本実施例のウレタンパッド８は、その素材であるウレタンの一部を銀（Ａｇ）添加繊維に置き換えたハイブリッド構造のパッドすなわちハイブリッドパッドとなっている。
【００４６】
図６は、図５のハイブリッドパッドを用いたシートクッションの一部断面を示している。ハイブリッドパッドをシートフレーム９上に据え付け、さらにハイブリッドパッド上にシートクッションの中綿となるワディング７および表皮材６を設けている。シートフレーム９は、実施例１と同様に車体１２に接続し、フレームグラウンド或いはアース（接地）として機能する。図６に示すように、ウレタンパッド８の開孔に充填された銀（Ａｇ）添加繊維１３とシートフレーム９は電気的に接続しており、表皮材６やワディング７或いはウレタンパッド８に溜まった静電気は、銀（Ａｇ）添加繊維１３およびシートフレーム９を介してフレームグラウンドへ放電される。
【００４７】
図７に、図６のハイブリッドパッドによる静電気の放電経路を示す。乗員の被服１０とシートの表皮材６との摩擦によって表皮材６やワディング７或いはウレタンパッド８に溜まった静電気は、ハイブリッドパッドの銀（Ａｇ）添加繊維１３部分およびシートフレーム９を通り、車体１２へと放出することができる。
【００４８】
ここで、銀（Ａｇ）添加繊維１３に含まれる銀（Ａｇ）の含有量は、ウレタンパッド８の開孔に充填される繊維全体の重量の１％〜５％程度が好適である。
【００４９】
本実施例の車両用シートによれば、実施例１と同様に、乗員すなわち乗員の被服１０とシートクッションとの間で発生した静電気を、乗員（乗員の被服）から、トリムカバーすなわち表皮材６およびワディング７、ウレタンパッド８の開孔に充填された銀（Ａｇ）添加繊維１３、シートフレーム９を介して車体１２へ逃がすことができる。
【００５０】
また、銀（Ａｇ）添加繊維１３に含まれる銀（Ａｇ）は抗菌性、消臭効果を有しており、シートクッションにおける菌の増殖を抑えることができる。さらに、銀（Ａｇ）添加繊維１３は、繊維をベースとして形成されているため、従来のウレタンパッドに比べて、通気性の点においても優れている。従って、通気性及びクッション性を損なうことなく、静電気の発生を抑え、抗菌性・消臭効果に優れた車両用シートを実現することが可能となる。
【００５１】
なお、本実施例においても、上記で説明したハイブリッドパッドをシートバック３に用いることにより、シートクッション同様にシートバックの静電気の発生を抑え、抗菌性・消臭効果を得ることができる。
【実施例３】
【００５２】
図８を用いて、本発明の実施例３における車両用シートについて説明する。図８は、図５に示すハイブリッドパッドすなわち一部に銀（Ａｇ）添加繊維１３を用いたウレタンパッドに替えて、パッド全てを銀（Ａｇ）添加繊維１３に置き換えた実施例を示している。つまり、図６におけるウレタンパッド８および銀（Ａｇ）添加繊維１３の部分を全て銀（Ａｇ）添加繊維１３で形成している。
【００５３】
素材の全てを銀（Ａｇ）添加繊維１３で形成したパッドを、図示しないが、図６のように、シートフレーム９上に据え付け、さらにパッド上に表皮材６およびワディング７からなるトリムカバーを設けるシートクッション構造となっている。
【００５４】
ここで、銀（Ａｇ）添加繊維１３に含まれる銀（Ａｇ）の含有量は、繊維全体の重量の１％〜５％程度が好適である。
【００５５】
本実施例の車両用シートによれば、実施例１或いは実施例２と同様に、乗員すなわち乗員の被服１０とシートクッションとの間で発生した静電気を、乗員（乗員の被服）から、トリムカバーすなわち表皮材６およびワディング７、銀（Ａｇ）添加繊維１３、シートフレーム９を介して車体１２へ逃がすことができる。
【００５６】
また、銀（Ａｇ）添加繊維１３に含まれる銀（Ａｇ）は抗菌性、消臭効果を有しており、シートクッションにおける菌の増殖を抑えることができる。
【００５７】
さらに、本実施例のシートは、従来のウレタンパッド８の部分が全て銀（Ａｇ）添加繊維１３により形成されているため、従来のウレタンパッドに比べて、通気性の点においても優れている。また、銀（Ａｇ）添加繊維１３の素材のベースとなっている繊維はウレタンパッドに比べて重量が軽いため、シートの重量を２割から３割程度軽量化することができる。
【００５８】
従って、通気性及びクッション性を損なうことなく、静電気の発生を抑え、抗菌性・消臭効果に優れた車両用シートを実現することが可能となる。
【００５９】
なお、本実施例においても、上記で説明したように、従来のウレタンパッド８の部分を全て銀（Ａｇ）添加繊維１３に置き換えてシートバック３に用いることにより、シートクッション同様にシートバックの静電気の発生を抑え、通気性、抗菌性・消臭効果を得ることができる。
【実施例４】
【００６０】
図９を用いて、本発明の実施例４における車両用シートについて説明する。図９は、本実施例における車両用シートの一部断面を示している。本実施例の車両用シートは、図１４に示す従来の車両用シートの表皮材６に替えて、銀（Ａｇ）添加表皮材１４を用いている点において、従来とは異なっている。また、図９に示すように、シートフレーム９は、銀（Ａｇ）添加表皮材１４と接触して形成されている。つまり、シートフレーム９と銀（Ａｇ）添加表皮材１４とは、電気的に接続するように形成されている。
【００６１】
ここで、銀（Ａｇ）添加表皮材１４に含まれる銀（Ａｇ）の含有量は、表皮材全体の重量の１％〜５％程度が好適である。
【００６２】
本実施例の車両用シートによれば、実施例１乃至実施例３と同様に、乗員すなわち乗員の被服１０とシートクッションとの間で発生した静電気を、乗員（乗員の被服）から、トリムカバーの銀（Ａｇ）添加表皮材１４、シートフレーム９を介して車体１２へ逃がすことができる。また、銀（Ａｇ）添加表皮材１４に含まれる銀（Ａｇ）は抗菌性、消臭効果を有しており、シートクッションにおける菌の増殖を抑えることができる。
【００６３】
従って、クッション性を損なうことなく、静電気の発生を抑え、抗菌性・消臭効果に優れた車両用シートを実現することが可能となる。
【００６４】
なお、本実施例においても、他の実施例と同様に、シートバック３の従来の表皮材６を銀（Ａｇ）添加表皮材１４に置き換えることにより、シートクッション同様にシートバックの静電気の発生を抑え、抗菌性・消臭効果を得ることができる。
【実施例５】
【００６５】
図１０を用いて、本発明の実施例５における車両用シートについて説明する。図１０は、本実施例における車両用シートの一部断面を示している。本実施例による車両用シートは、実施例４で説明した車両用シートにおけるワディング７を実施例１で説明した車両用シートで用いた銀（Ａｇ）添加ワディング１１に置き換えた構成となっている。つまり、表皮材として銀（Ａｇ）添加表皮材１４を用い、さらにワディングとして銀（Ａｇ）添加ワディング１１を用いている。従って、表皮材およびワディングからなるトリムカバーに銀（Ａｇ）を添加している。
【００６６】
図１０に示すように、銀（Ａｇ）添加表皮材１４および銀（Ａｇ）添加ワディング１１は、シートフレーム９と接触して形成されている。つまり、シートフレーム９と銀（Ａｇ）添加表皮材１４、銀（Ａｇ）添加ワディング１１はそれぞれ電気的に接続している。
【００６７】
ここで、銀（Ａｇ）添加表皮材１４に含まれる銀（Ａｇ）の含有量は、表皮材全体の重量の１％〜５％程度であり、銀（Ａｇ）添加ワディング１１に含まれる銀（Ａｇ）の含有量は、ワディング全体の重量の１％〜５％程度である。
【００６８】
本実施例の車両用シートによれば、実施例１乃至実施例４と同様に、乗員すなわち乗員の被服１０とシートクッションとの間で発生した静電気を、乗員（乗員の被服）から、トリムカバーの銀（Ａｇ）添加表皮材１４および銀（Ａｇ）添加ワディング１１、シートフレーム９を介して車体１２へ逃がすことができる。
【００６９】
また、銀（Ａｇ）添加表皮材１４および銀（Ａｇ）添加ワディング１１に含まれる銀（Ａｇ）は抗菌性、消臭効果を有しており、シートクッションにおける菌の増殖を抑えることができる。
【００７０】
従って、クッション性を損なうことなく、静電気の発生を抑え、抗菌性・消臭効果に優れた車両用シートを実現することが可能となる。
【００７１】
なお、本実施例においても、他の実施例と同様に、シートバック３の従来の表皮材６およびワディング７を銀（Ａｇ）添加表皮材１４および銀（Ａｇ）添加ワディング１１に置き換えることにより、シートクッション同様にシートバックの静電気の発生を抑え、抗菌性・消臭効果を得ることができる。
【実施例６】
【００７２】
図１１を用いて、本発明の実施例６における車両用シートについて説明する。図１１は、本実施例における車両用シートの一部断面を示している。本実施例による車両用シートは、実施例２で説明した車両用シートにおけるハイブリッドパッドに、銀（Ａｇ）添加ワディング１１を組み合わせた構成となっている。
【００７３】
ここで、銀（Ａｇ）添加ワディング１１に含まれる銀（Ａｇ）の含有量は、ワディング全体の重量の１％〜５％程度であり、ハイブリッドパッドの銀（Ａｇ）添加繊維１３の部分に含まれる銀（Ａｇ）の含有量は、ウレタンパッド８の開孔に充填される繊維全体の重量の１％〜５％程度である。
【００７４】
本実施例の車両用シートによれば、実施例１乃至実施例５と同様に、乗員すなわち乗員の被服１０とシートクッションとの間で発生した静電気を、乗員（乗員の被服）から、トリムカバーの表皮材６および銀（Ａｇ）添加ワディング１１、ハイブリッドパッドの銀（Ａｇ）添加繊維１３部分、シートフレーム９を介して車体１２へ逃がすことができる。
【００７５】
また、銀（Ａｇ）添加ワディング１１およびハイブリッドパッドの銀（Ａｇ）添加繊維１３部分に含まれる銀（Ａｇ）は抗菌性、消臭効果を有しており、シートクッションにおける菌の増殖を抑えることができる。
【００７６】
従って、クッション性を損なうことなく、静電気の発生を抑え、抗菌性・消臭効果に優れた車両用シートを実現することが可能となる。
【００７７】
なお、本実施例においても、他の実施例と同様に、シートバック３の従来のワディング７を銀（Ａｇ）添加ワディング１１に、また、ウレタンパッド８をハイブリッドパッドに置き換えることにより、シートクッション同様にシートバックの静電気の発生を抑え、抗菌性・消臭効果を得ることができる。
【実施例７】
【００７８】
図１２を用いて、本発明の実施例７における車両用シートについて説明する。図１２は、本実施例における車両用シートの一部断面を示している。本実施例による車両用シートは、実施例６で説明した車両用シートにおけるハイブリッドパッドと銀（Ａｇ）添加ワディング１１との組み合わせに、さらに表皮材として銀（Ａｇ）添加表皮材１４を組み合わせた構成となっている。
【００７９】
ここで、銀（Ａｇ）添加表皮材１４に含まれる銀（Ａｇ）の含有量は、表皮材全体の重量の１％〜５％程度であり、銀（Ａｇ）添加ワディング１１に含まれる銀（Ａｇ）の含有量は、ワディング全体の重量の１％〜５％程度であり、さらに、ハイブリッドパッドの銀（Ａｇ）添加繊維１３の部分に含まれる銀（Ａｇ）の含有量は、ウレタンパッド８の開孔に充填される繊維全体の重量の１％〜５％程度である。
【００８０】
本実施例の車両用シートによれば、実施例１乃至実施例６と同様に、乗員すなわち乗員の被服１０とシートクッションとの間で発生した静電気を、乗員（乗員の被服）から、トリムカバーの銀（Ａｇ）添加表皮材１４および銀（Ａｇ）添加ワディング１１、ハイブリッドパッドの銀（Ａｇ）添加繊維１３部分、シートフレーム９を介して車体１２へ逃がすことができる。
【００８１】
また、銀（Ａｇ）添加表皮材１４および銀（Ａｇ）添加ワディング１１、ハイブリッドパッドの銀（Ａｇ）添加繊維１３部分に含まれる銀（Ａｇ）は抗菌性、消臭効果を有しており、シートクッションにおける菌の増殖を抑えることができる。
【００８２】
従って、クッション性を損なうことなく、静電気の発生を抑え、抗菌性・消臭効果に優れた車両用シートを実現することが可能となる。
【００８３】
なお、本実施例においても、他の実施例と同様に、シートバック３の従来の表皮材６を銀（Ａｇ）添加表皮材１４に、ワディング７を銀（Ａｇ）添加ワディング１１に、ウレタンパッド８をハイブリッドパッドにそれぞれ置き換えることにより、シートクッション同様にシートバックの静電気の発生を抑え、抗菌性・消臭効果を得ることができる。
【００８４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００８５】
１…車両用シート、２…シートクッション、３…シートバック、４…ヘッドレスト、５…サイドサポート、６…表皮材、７…ワディング、８…ウレタンパッド、９…シートフレーム、１０…乗員の被服、１１…銀（Ａｇ）添加ワディング（Ａｇ添加繊維）、１２…車体、１３…銀（Ａｇ）添加繊維、１４…銀（Ａｇ）添加表皮材。
【図１】
2016002829.tif 000003
【図２】
2016002829.tif 000004
【図３】
2016002829.tif 000005
【図４】
2016002829.tif 000006
【図５】
2016002829.tif 000007
【図６】
2016002829.tif 000008
【図７】
2016002829.tif 000009
【図８】
2016002829.tif 000010
【図９】
2016002829.tif 000011
【図１０】
2016002829.tif 000012
【図１１】
2016002829.tif 000013
【図１２】
2016002829.tif 000014
【図１３】
2016002829.tif 000015
【図１４】
2016002829.tif 000016
【図１５】
2016002829.tif 000017